(57)【要約】【課題】燃費性能の低下及び乗り心地の低下を抑制し得る減速制御を提供する。【解決手段】アクセル操作子（１１）の操作範囲に減速領域と加速領域とを設けて、アクセル操作子（１１）の操作量に応じて加減速制御を実行する車両の制御方法において、減速イベントに対応してアクセル操作子（１１）の操作量が減少することにより、アクセル操作子（１１）の操作量が減速領域に入った場合に、減速イベントに基づいて目標減速プロフィールを設定し、目標減速プロフィールに基づいて車両を減速させる。【選択図】図１
2020033884.tif 000002
【特許請求の範囲】
【請求項１】
アクセル操作子の操作範囲に減速領域と加速領域とを設けて、前記アクセル操作子の操作量に応じて加減速制御を実行する車両の制御方法において、
減速イベントに対応して前記操作量が減少することにより、前記操作量が前記減速領域に入った場合に、
前記減速イベントに基づいて目標減速プロフィールを設定し、
前記目標減速プロフィールに基づいて車両を減速させる、車両の制御方法。
【請求項２】
請求項１に記載の車両の制御方法において、
前記目標減速プロフィールとして、減速開始タイミングと目標減速度と目標車速とを設定する、車両の制御方法。
【請求項３】
請求項１または２に記載の車両の制御方法において、
減少後の前記操作量がゼロより大きい足戻し操作がなされた場合は、
操作後の前記操作量に応じて定まる制動力を、前記目標減速プロフィールに基づいて補正する、車両の制御方法。
【請求項４】
請求項１から３のいずれか一項に記載の車両の制御方法において、
減少後の前記操作量がゼロになる足離し操作がなされた場合は、
前記アクセル操作子の操作後に、減速開始タイミングまたは減速度の少なくとも一方を制御する、車両の制御方法。
【請求項５】
請求項１から４のいずれか一項に記載の車両の制御方法において、
前記減速イベントには、停車を要する地点または物体が含まれる、車両の制御方法。
【請求項６】
請求項１から５のいずれか一項に記載の車両の制御方法において、
前記減速イベントには、所定車速までの減速を要する地点または物体が含まれる、車両の制御方法。
【請求項７】
請求項１から６のいずれか一項に記載の車両の制御方法において、
前記目標減速プロフィールの目標減速度を、減速中に優先する性能に基づいて設定する、車両の制御方法。
【請求項８】
請求項７に記載の車両の制御方法において、
減速中に運転性を優先する場合には、
前記目標減速度を、減速度の変動が予め設定した閾値以下になるよう設定する、車両の制御方法。
【請求項９】
請求項７に記載の車両の制御方法において、
減速中にエネルギ回生を優先する場合には、
前記目標減速度を、回生用モータの回生効率に基づいて設定する、車両の制御方法。
【請求項１０】
操作範囲に減速領域と加速領域とが設定されたアクセル操作子と、
前記アクセル操作子の操作量に応じて加減速制御を実行する制御部と、
を備える車両の制御装置において、
前記制御部は、
減速イベントに対応して前記操作量が減少することにより、前記操作量が前記減速領域に入った場合に、
前記減速イベントに基づいて目標減速プロフィールを設定し、
前記目標減速プロフィールに基づいて車両を減速させる、車両の制御装置。
【発明の詳細な説明】
【技術分野】
【０００１】
本発明は、操作範囲に減速領域と加速領域とが設定されたアクセル操作子を備える車両の制御に関する。
【背景技術】
【０００２】
特許文献１には、１つのペダルの操作範囲に加速領域と減速領域とを設け、当該ペダルの操作量に応じて車両の加減速を制御するシステムが開示されている。
【先行技術文献】
【特許文献】
【０００３】
【特許文献１】特開２００６−１７７４４２号公報
【発明の概要】
【発明が解決しようとする課題】
【０００４】
上記文献に記載のシステムでは、減速シーンにおいて運転者によるアクセル操作量に応じて制動力が定まる。このため、ペダルを操作するタイミングとアクセル操作量とが適切でない場合には、運転者の意図通りの減速ができないおそれがある。例えば、アクセル操作量が適切であっても、操作するタイミングが早過ぎれば、車両は所望の位置に到達する前に車速が低下し過ぎてしまうし、操作するタイミングが遅過ぎれば、車両は所望の位置に到達するまでに所望の速度まで減速できない。車速が低下し過ぎる場合には、運転者が再びペダルを操作して加速することで車速を調整できる。また、減速が間に合わない場合には、運転者が再びアクセルを操作して制動力を増大させることで、車速を低下させることができる。
【０００５】
しかし、上述したペダルの再操作は、適切な操作タイミング及び操作量であれば不要な操作である。さらに、再操作による加速は燃費性能の低下を招き、再操作による制動力の増大は乗員に急減速感を与えるため乗り心地の低下を招くこととなる。
【０００６】
そこで本願発明では、燃費性能の低下及び乗り心地の低下を抑制し得る減速制御を提供することを目的とする。
【課題を解決するための手段】
【０００７】
本発明のある態様による車両の制御方法では、アクセル操作子の操作範囲に減速領域と加速領域とを設けて、アクセル操作子の操作量に応じて加減速制御を実行する。そして、減速イベントに対応して操作量が減少することにより、操作量が減速領域に入った場合に、減速イベントに基づいて目標減速プロフィールを設定し、目標減速プロフィールに基づいて車両を減速させる。
【発明の効果】
【０００８】
上記態様によれば、燃費性能の低下及び乗り心地の低下を抑制することができる。
【図面の簡単な説明】
【０００９】
【図１】図１は、本実施形態に係る車両の概略構成図である。
【図２】図２は、本実施形態に係る減速制御を実行する場合の、車速及びアクセル操作量のタイミングチャートである。
【図３】図３は、本実施形態に係る減速制御の制御ルーチンを示すフローチャートの一部である。
【図４】図４は、本実施形態に係る減速制御の制御ルーチンを示すフローチャートの他の一部である。
【図５】図５は、本実施形態に係る減速制御の制御ルーチンを示すフローチャートのさらに他の一部である。
【発明を実施するための形態】
【００１０】
以下、添付図面を参照しながら本発明の実施形態について説明する。
【００１１】
図１は、本実施形態に係る制御が実行される車両１００の概略構成図である。
【００１２】
図１に示すように、車両１００はエンジン１と、発電機２と、発電機インバータ３と、バッテリ４と、モータインバータ５と、電動モータ６と、駆動輪７と、コントローラ１０と、を備える。車両１００は、エンジン１の動力を用いて発電機２で発電した電力をバッテリ４に供給し、バッテリ４の電力により電動モータ６を回転させることにより駆動輪７を駆動する、いわゆるシリーズ型ハイブリッド車両として構成される。したがって、車両１００では、エンジン１は車両１００を走行させるための動力源としてではなく、発電機２を発電させる動力源として使用される。
【００１３】
また、車両１００は、操作範囲に減速領域と加速領域とが設定されたアクセル操作子としてのアクセルペダル１１を備え、後述するコントローラ１０によってアクセルペダル１１の操作量に基づいて加減速制御がなされる。
【００１４】
エンジン１は、ガソリン等を燃料とするいわゆる内燃機関であって、図示しないギヤ等を介して発電機２と機械的に接続されている。エンジン１は、バッテリ４の充電時等に発電機２を回転駆動させるための駆動源として用いられる。
【００１５】
発電機２は、エンジン１からの動力に基づいて回転することで発電し、バッテリ４を充電可能に構成されている。また、発電機２は、バッテリ４の電力により回転駆動することで、エンジン１を力行運転（モータリング）させるようにも構成されている。発電機２の動力を用いてエンジン１を回転させるモータリング制御は、エンジン始動時にエンジン１をクランキングさせるとき、バッテリの過充電を防止するために電力消費をしたいとき等に実施する。上述の通り、発電機２はいわゆるモータジェネレータとして機能する。
【００１６】
発電機インバータ３は、発電機２及びバッテリ４に電気的に接続されている。発電機インバータ３は、発電機２が発電する交流電力を直流電力に変換してバッテリ４に供給し、バッテリ４から出力される直流電力を交流電力に変換して発電機２に供給するよう構成されている。
【００１７】
モータインバータ５は、バッテリ４及び電動モータ６に電気的に接続されている。モータインバータ５は、バッテリ４から出力された直流電力を交流電力に変換して電動モータ６に供給し、電動モータ６で回生発電された交流電力を直流電力に変換してバッテリ４に供給するよう構成されている。
【００１８】
電動モータ６は、モータインバータ５から供給される交流電力により回転駆動し、駆動輪７に駆動力を伝達する。また、電動モータ６は、車両減速時やコースト走行時等に駆動輪７に連れ回されて回転する場合に発電し、車両の運動エネルギを電気エネルギとしてバッテリ４に回収するよう構成されている。このように、電動モータ６は、駆動用モータとしてだけでなく、回生用モータとしても機能する。
【００１９】
コントローラ１０は、中央演算装置（ＣＰＵ）、読み出し専用メモリ（ＲＯＭ）、ランダムアクセスメモリ（ＲＡＭ）及び入出力インタフェース（Ｉ／Ｏインタフェース）を備えたマイクロコンピュータで構成される。コントローラ１０は、特定のプログラムを実行することにより、エンジン１、発電機２、発電機インバータ３、及びモータインバータ５等の各種機器の動作を制御する制御部として機能する。コントローラ１０は、一つのマイクロコンピュータで構成されるのではなく、複数のマイクロコンピュータにより構成されてもよい。
【００２０】
コントローラ１０は、エンジン１の回転速度及び負荷（トルク）の状態信号に応じてエンジン１のスロットルバルブ、インジェクタ、及び点火プラグ等を制御し、吸入空気量、燃料噴射量、及び点火時期等を調整する。
【００２１】
コントローラ１０は、バッテリ４の充放電時の電流や電圧に基づいてバッテリ４の充電状態（ＳＯＣ：Ｓｔａｔｅ  Ｏｆ  Ｃｈａｒｇｅ）を算出したり、算出したＳＯＣ情報等を用いてバッテリ４の入力可能電力及び出力可能電力を算出したりする。
【００２２】
コントローラ１０は、アクセルペダル１１の操作量（以下、「アクセル操作量」ともいう）、車速、路面勾配等の車両状態情報、ＳＯＣ情報、バッテリ４の入力可能電力、及びバッテリ４の出力可能電力等の情報を取得する。そして、コントローラ１０は、取得した情報に基づいて、電動モータ６へのモータトルク指令値の演算、及び発電機２からバッテリ４又は電動モータ６へ供給するための目標発電電力の演算を行なう。また、コントローラ１０は、電動モータ６のトルクがモータトルク指令値となるよう、モータインバータ５をスイッチング制御する。
【００２３】
コントローラ１０は、目標発電電力を実現するために、エンジン１に対するエンジントルク指令値及び発電機２に対する回転速度指令値を演算する。コントローラ１０は、発電機回転速度が回転速度指令値と一致するように、発電機２の回転速度検出値等の状態に応じて、発電機インバータ３をスイッチング制御する。
【００２４】
また、コントローラ１０には、アクセル操作量センサ１１Ａ、車速センサ１２、前方カメラ１３、ナビゲーションシステム１４、通信装置１５が電気的に接続されている。
【００２５】
アクセル操作量センサ１１Ａは、アクセルペダル１１の操作量、換言するとアクセル開度を検出し、検出値をコントローラ１０へ送信するよう構成されている。コントローラ１０は、受信した操作量に基づいて駆動力または制動力を制御する。制動力は、電動モータ６による発電を利用した制動力である回生制動力を主に用いる。なお、本実施形態では足踏み式のアクセルペダル１１を用いる場合について説明するが、これに限られるわけではない。例えば、手により操作するアクセル操作子であってもよい。
【００２６】
また、車両１００は、油圧ポンプで発生させた油圧により作動する摩擦ブレーキシステムと、摩擦ブレーキシステムを操作するためのブレーキペダルと、をさらに備えてもよい。
【００２７】
車速センサ１２は、車輪または動力伝達系のシャフトの回転数を検出し、検出値をコントローラ１０へ送信するよう構成されている。コントローラ１０は、車速センサ１２の検出値に基づいて車速を演算する。
【００２８】
前方カメラ１３は、車両前方の所定領域を撮像し、撮像した画像データをコントローラ１０に送信するよう構成されている。
【００２９】
ナビゲーションシステム１４は、地図データ及び走行履歴等を記憶する記憶装置１４Ａと、入力された目的地までの走行ルートや目的地までの所要時間等を演算する演算装置１４Ｂと、地図や走行ルートを表示する表示装置１４Ｃと、を備える。
【００３０】
通信装置１５は、車両外部のデータセンタ１６と通信可能に構成されている。通信装置１５がデータセンタ１６と通信する情報は、例えば、渋滞情報等である。
【００３１】
上述した通り、車両１００はアクセル操作量に応じて加減速制御される。つまり、アクセル操作量が減速領域にある場合は電動モータ６で回生制動力を発生させ、アクセル操作量が加速領域にある場合は電動モータ６で駆動力を発生させる。回生制動力の大きさは、アクセル操作量に応じて予め設定されており、アクセル操作量がゼロの場合に最大となる。
【００３２】
ところで、運転者が減速イベントを認知した後の、アクセルペダル１１を操作するタイミング及びアクセル操作量は、運転者によってバラツキがある。
【００３３】
ここでいう減速イベントとは、減速または停車を要する地点または物体である。例えば、停止信号、一時停止線、踏切、料金所、カーブ、制限車速の変更等である。また、自車より低い車速で自車の前方を走行している車両も減速イベントに含まれる。これらの減速イベントがある場合には、車両は減速イベントに応じた所定位置で停車し、または所定位置までに減速を終了する必要がある。
【００３４】
上述した運転者によるアクセルペダル操作のバラツキについて、図２を参照して説明する。以下の説明において、「減速プロフィール」とは、減速開始タイミングと減速度（制動力）の少なくとも一方を意味するものとする。
【００３５】
図２は、車速Ｖ１かるアクセル操作量ＡＰＯ１で走行している状態から、停車位置Ｌ４で停車するための減速制御を実行する場合の、車速及びアクセル操作量のタイミングチャートである。ここでは、減速イベントを認知した運転者がアクセル操作量をＡＰＯ１からゼロにするものとする。
【００３６】
なお、アクセルペダル１１から足を離してアクセル操作量をゼロにするペダル操作のことを、足離し操作と称する。また、車両１００の減速度を調整するために操作後のアクセル操作量がゼロより大かつ減速領域内となるように行なうペダル操作を足離し操作と区別するために、足戻し操作と称する。
【００３７】
図２において、運転者は位置Ｌ０で減速イベントを認知したものとする。ここでの減速イベントは、位置Ｌ４にある信号機とする。
【００３８】
この場合、実線Ｄで示したように位置Ｌ２で足離し操作を行なうと、実線Ａで示すようにアクセル操作量がゼロの場合の制動力に応じた減速度で減速し、位置Ｌ４で停車することができる。なお、実線Ａで示す減速プロフィールでは、車速がゼロに近づいたら減速度が増しているが、これは一般的な運転者が従来のブレーキペダル操作により減速する場合に、停車直前にブレーキペダルをさらに踏み込むという特性を模したものである。
【００３９】
しかし、破線Ｅで示したように足離し操作を行なう位置が位置Ｌ２よりも手前の位置Ｌ１の場合には、破線Ｂで示したように位置Ｌ４に到達する前に車速がゼロになってしまう。この場合、運転者がアクセルペダル１１を再び踏み込むことによって車両を加速させれば、位置Ｌ４まで走行することができる。しかし、減速開始タイミングが適切ならば不要であった加速をすることで、無駄に燃料を消費することになるので、燃費性能が低下してしまう。つまり、足離し操作を行なうタイミングが適切なタイミングより早いと、再加速が必要となり、燃費性能の低下を招くこととなる。
【００４０】
また、一点鎖線Ｆで示したように足離し操作を行なう位置が位置Ｌ２よりも位置Ｌ４に近い位置Ｌ３の場合には、一点鎖線Ｃで示したように、位置Ｌ４までに車速がゼロにならない。この場合、運転者が摩擦ブレーキシステムを作動させて制動力を高めれば、位置Ｌ４で停車させることができる。しかし、制動力を高めることで、車両の姿勢変化（ピッチング）が大きくなり、運転者を含めた乗員に対して乗り心地が悪いという印象を与えるおそれがある。つまり、足離し操作を行なうタイミングが適切なタイミングより遅いと、追加の減速操作が必要となり乗り心地が悪くなる。
【００４１】
また、減速制御の度に、上述した再加速または摩擦ブレーキシステムの利用といった操作が必要になると、アクセルペダルのみで加減速制御を行なうシステムの操作性に対する運転者の印象が悪くなるおそれがある。そして、仮にアクセルペダルのみで加減速制御を行なうモードと、アクセルペダルで加速制御を行ないブレーキペダルで減速制御を行なうモードと、を運転者が切り替え可能な場合には、上述した印象の悪化により、アクセルペダルのみで加減速制御を行なうモードが選択されなくなるおそれがある。その結果、減速時の回生電力量が減少して、燃費性能が低下するおそれがある。
【００４２】
そこで、本実施形態のコントローラ１０は、運転者によるペダル操作のタイミング及びアクセル操作量にバラツキがある場合でも、運転者が上述した追加操作を行なうことなく目標位置で停車、または目標位置を目標速度で通過できるように車両の減速度を制御する。具体的には、減速イベントに応じた目標減速プロフィールを設定し、アクセル操作量に応じた制動力を目標減速プロフィールに基づいて補正する。以下に、この減速制御について説明する。
【００４３】
なお、図２では足離し操作により停車する場合について示したが、足戻し操作により減速する場合についても同様である。足戻し操作の場合には、位置Ｌ４における車速がゼロより大きく、かつ、減速度が足戻し操作後のアクセル操作量に応じて定まる制動力に応じた大きさになる。
【００４４】
図３から図５は、コントローラ１０が実行する、減速制御の制御ルーチンを示すフローチャートである。これらの制御ルーチンはコントローラ１０に予めプログラムされている。
【００４５】
ステップＳ１００で、コントローラ１０は周囲状況情報を取得する。周囲状況情報とは、自車の周囲の状況に関する情報であり、例えば、前方カメラ１３が撮像した画像データに基づく、前方車両の有無及び車間距離、障害物の有無、及び前方にある信号機の点灯状態等の情報が含まれる。また、周囲状況情報には、ナビゲーションシステム１４から取得可能な、一時停止線、踏切、料金所、及びカーブ等の位置情報及び自車の現在位置も含まれる。なお、いわゆる路車間通信が可能な場合には、通信装置１５を介して取得可能な、信号機の点灯状態に関する情報も周囲状況情報に含まれる。
【００４６】
ステップＳ１１０で、コントローラ１０は、この先に減速イベントがあるか否かを周囲状況情報に基づいて判定する。コントローラ１０は、減速イベントがあると判定した場合にはステップＳ１２０の処理を実行し、減速イベントがないと判定した場合はステップＳ１００の処理に戻る。
【００４７】
ステップＳ１２０で、コントローラ１０は、運転者が足離し操作または足戻し操作を行なったか否か、つまり制動操作を行なったか否かを判定する。コントローラ１０は、制動操作が行われたらステップＳ１３０の処理を実行し、制動操作が行なわれなければ、行なわれるまでステップＳ１２０の処理を繰り返す。
【００４８】
ステップＳ１３０で、コントローラ１０は運転者の制動操作の種類を判定する。つまり、コントローラ１０は制動操作が足離し操作なのか足戻し操作なのかを判定する。コントローラ１０は、足離し操作の場合にはステップＳ１４０の処理を実行し、足戻し操作の場合にはステップＳ２１０の処理を実行する。
【００４９】
まず、足離し操作の場合について図４を参照して説明する。
【００５０】
ステップＳ１４０で、コントローラ１０は優先する性能を判定する。具体的には、今回の減速時に、回生効率と運転性のいずれを優先するのかを判定する。なお、ここでいう運転性とは、減速度の変化量のことをいう。そして、運転性を優先するとは、減速度の変化量が小さくなるような減速プロフィールにすることをいう。減速度の変化量が小さいということは、車両１００の姿勢変化が小さいということである。姿勢変化が小さければ、運転者を含めた乗員は乗り心地がよいと感じる。すなわち、運転性を優先するということは、乗り心地を優先することと言い換えることができる。
【００５１】
本ステップでは、運転モードが燃費性能を最優先するエコモードが運転者により選択されている場合には回生効率が優先事項であると判定し、それ以外の場合には運転性が優先事項であると判定する。そして、コントローラ１０は、優先事項が運転性の場合にはステップＳ１５０の処理を実行し、優先事項が回生効率の場合にはステップＳ１８０の処理を実行する。
【００５２】
まず、運転性を優先する場合のステップＳ１５０〜Ｓ１７０の処理について説明する。
【００５３】
ステップＳ１５０で、コントローラ１０は、運転性を優先する場合の減速度を演算する。具体的には、運転者を含む乗員が許容し得る減速度の上限を実験等により予め求め、それよりも小さい減速度を設定する。なお、ここで設定する減速度は、減速を開始してから、図２で説明したように停車直前に減速度を増大させるまでの減速度である。
【００５４】
ステップＳ１６０で、コントローラ１０は運転性を優先する場合の目標減速プロフィールを設定する。
【００５５】
ここで、目標減速プロフィールの設定方法について説明する。
【００５６】
まず、コントローラ１０は、ステップＳ１００で取得した周囲状況情報から減速イベントの位置を算出する。そして、コントローラ１０はステップＳ１５０で算出した減速度で減速すれば減速イベントで目標車速になる減速開始位置を算出する。このようにして算出される減速開始位置及び減速度が目標減速プロフィールである。なお、本ステップで設定する目標減速プロフィールでも、停車する場合には図２で説明したように停車直前に減速度を大きくする。
【００５７】
また、自車の現在位置が上記のように算出された減速開始位置よりも減速イベントに近い場合は、現在位置を減速開始位置とし、減速イベントで目標車速になるように減速度を増大させた目標減速プロフィールを設定する。減速度を増大させることで、乗員に急減速感を与えるおそれがあるが、ここでは減速イベントで目標速度になることを優先する。
【００５８】
上記のように目標減速プロフィールを設定したら、コントローラ１０はステップＳ１７０において、目標減速プロフィールに基づいて電動モータ６に回生制動力を発生させる。例えば、図２において、減速イベントが位置Ｌ４にある赤点灯状態の信号機であり、位置Ｌ１で足離し操作が行われた場合には、コントローラ１０は実線Ａで示した目標減速プロフィールを設定する。そして、コントローラ１０は目標減速プロフィールで設定された減速開始位置である位置Ｌ２まで定速走行し、位置Ｌ２で減速を開始する。また、位置Ｌ３で足離し操作が行われた場合は、コントローラ１０は実線Ｃ´で示す目標減速プロフィールを設定し、位置Ｌ３で減速を開始する。
【００５９】
なお、足離し操作が行われた位置が位置Ｌ１の場合には、減速度をステップＳ１５０出設定した減速度より小さくし、減速開始位置を位置Ｌ１とする目標減速プロフィールを設定してもよい。減速度を小さくすれば、運転性（乗り心地）はより向上するからである。
【００６０】
次に、回生効率を優先する場合のステップＳ１８０〜Ｓ２００の処理について説明する。
【００６１】
ステップＳ１８０で、コントローラ１０は、回生効率を優先する場合の減速度を電動モータ６の回生効率マップに基づいて演算する。回生効率は、回生制動力が大きい運転領域で高くなる傾向があるので、ステップＳ１８０で設定される減速度は、ステップＳ１５０で設定される減速度より大きくなる。
【００６２】
ステップＳ１９０で、コントローラ１０は、ステップＳ１８０で設定した減速度に基づいて目標減速プロフィールを設定する。本ステップの処理は、減速度の大きさ以外はステップＳ１６０の処理を同様なので説明を省略する。
【００６３】
ステップＳ２００で、コントローラ１０は、ステップＳ１９０で設定した目標減速プロフィールに基づいて、電動モータ６に回生制動力を発生させる。本ステップはステップＳ１７０の処理と同様なので説明を省略する。
【００６４】
次に、足戻し操作の場合について図５を参照して説明する。
【００６５】
足戻し操作の場合も、優先性能を判定し、優先性能に応じた減速度を算出し、減速イベントに基づいて目標減速プロフィールを設定し、目標減速プロフィールに基づいて制動力を発生させる点においては足離し操作の場合と同様である。つまり、図５のステップＳ２１０〜Ｓ２３０、Ｓ２５０、Ｓ２６０〜Ｓ２７０、及びＳ２９０は、それぞれ図４のステップＳ１４０、Ｓ１５０〜Ｓ１６０、Ｓ１７０、Ｓ１８０〜Ｓ１９０、Ｓ２００と同様である。ただし、足戻し操作の場合には、コントローラ１０は目標減速プロフィールを設定したら（ステップＳ２３０、Ｓ２７０）、次に、以下に説明する減速度の補正演算（ステップＳ２４０、Ｓ２８０）を行なう。
【００６６】
ここで、ステップＳ２４０、Ｓ２８０においてコントローラ１０が実行する減速度の補正演算について説明する。
【００６７】
足戻し操作の場合には、操作後のアクセル操作量の大きさに応じた減速度が発生するが、この減速度がステップＳ２２０またはＳ２６０で算出した減速度と一致するとは限らない。そして、一致しない場合には、ステップＳ２３０またはＳ２７０で設定した目標減速プロフィール通りに減速することができない。そこで、コントローラ１０は、アクセル操作量から定まる減速度と、ステップＳ２２０またはＳ２６０で算出した減速度との乖離を解消するための補正を行なう。例えば、アクセル操作量から定まる減速度と、ステップＳ２２０またはＳ２６０で算出した減速度との差を補正量として、アクセル操作量から定まる減速度にこの補正量を加算する。
【００６８】
上記の通り減速度の補正演算を行なうことで、目標減速プロフィールにしたがった減速を行なうことができる。
【００６９】
なお、本ステップの補正を行なうと、同じアクセル操作量であっても減速イベント毎に減速度が異なることとなる。したがって、補正量が大きくなるほど、運転者に違和感を与えるおそれが高まる。そこで、違和感を抑制するために、補正量の上限を制限するようにしてもよい。
【００７０】
以上のように本実施形態では、アクセルペダル１１の操作範囲に減速領域と加速領域とを設けて、アクセルペダル１１の操作量に応じて加減速制御を実行する。そして、減速イベントに対応してアクセルペダル１１の操作量が減少することにより、アクセルペダル１１の操作量が減速領域に入った場合に、減速イベントに基づいて目標減速プロフィールを設定し、目標減速プロフィールに基づいて車両を減速させる。これにより、減速中における運転者によるアクセルペダル１１の再操作が不要となり、燃費性能の低下や乗り心地の低下を抑制することができる。また、運転者に違和感を与えることなく、所望の位置に正確に停車すること、及び所望の位置までに減速を終わらせること、が可能になる。その結果、仮に本実施形態に係る減速制御の実行の可否を運転者が選択し得る構成であっても、運転者が本実施形態に係る減速制御の実行を選択する確率の向上が望める。すなわち、上記効果が得られる確率が向上する。
【００７１】
本実施形態では、目標減速プロフィールとして、減速開始タイミングと目標減速度と目標車速とを設定する。これにより、減速イベントに応じて適切な目標減速プロフィールを設定することができる。
【００７２】
本実施形態では、減少後のアクセルペダル１１の操作量がゼロより大きい足戻し操作がなされた場合は、操作後のアクセルペダル１１の操作量に応じて定まる制動力を、目標減速プロフィールに基づいて補正する。これにより、より適切な減速度で減速することとなり、電動モータ６による回生量を確保することができる。
【００７３】
本実施形態では、減少後のアクセルペダル１１の操作量がゼロになる足離し操作がなされた場合は、アクセルペダル１１の操作後に、減速開始タイミングまたは減速度の少なくとも一方を制御する。これにより、車両はより適切な減速度で減速することとなり、電動モータ６による回生量を確保することができる。
【００７４】
本実施形態では、減速イベントに、停車を要する地点または物体と、所定車速までの減速を要する地点または物体と、が含まれる。これにより、車両走行中に発生する減速イベントに対応することができる。
【００７５】
本実施形態では、目標減速プロフィールの目標減速度を、減速中に優先する性能に基づいて設定する。運転性を優先する場合には、目標減速度を、減速度の変動が予め設定した閾値以下になるよう設定する。また、エネルギ回生を優先する場合には、目標減速度を、回生用モータの回生効率に基づいて設定する。これにより、優先する性能に応じた適切な減速度が設定されるので、燃費性能の低下または乗り心地の低下をより適切に抑制することができる。
【００７６】
なお、本発明は上記の実施の形態に限定されるわけではなく、特許請求の範囲に記載の技術的思想の範囲内で様々な変更を成し得ることは言うまでもない。
【符号の説明】
【００７７】
１    エンジン
２    発電機
３    発電機インバータ
４    バッテリ
５    モータインバータ
６    電動モータ
７    駆動輪
１０  コントローラ
１１  アクセルペダル
【図１】
2020033884.tif 000003
【図２】
2020033884.tif 000004
【図３】
2020033884.tif 000005
【図４】
2020033884.tif 000006
【図５】
2020033884.tif 000007